(57)【要約】【課題】従来の既存家屋を屋上付き家屋に改築する工事の方法を改良して、屋上床材を適正かつ効率的に敷設する。【解決手段】既存家屋の屋根を撤去して梁を露出させる屋根撤去工程と、梁の上に角材で枠組を組む枠組工程と、枠組の上に断面波形の折板を隙間なく並べて取り付ける折板取付工程と、折板の上に該折板の溝方向と交差させてＣ型鋼をその開口部を下側にして取り付けるＣ型鋼取付工程と、Ｃ型鋼の上に屋上床材を敷設する屋上床材敷設工程とを包含する。Ｃ型鋼取付工程は、中央部に対して両端部が同方向に略９０度屈曲した断面コ字形の取付金具１１を両端部が上を向き、かつ両端部の間に形成されるＣ型鋼保持溝の方向が前記折板１０の溝方向と交差するように該折板の上面に固定し、その取付金具１１のＣ型鋼保持溝１１ｃでＣ型鋼１４を保持して、取付金具の屈曲端部１１ｂとＣ型鋼の側壁部とをビス１５で螺着する。【選択図】図９
2007100470.tif 000002
【特許請求の範囲】
【請求項１】
既存家屋の屋根を撤去して梁を露出させる屋根撤去工程と、前記梁の上に角材で枠組を組む枠組工程と、前記枠組の上に断面波形の折板を隙間なく並べて取り付ける折板取付工程と、前記折板の上に該折板の溝方向と交差させてＣ型鋼をその開口部を下側にして取り付けるＣ型鋼取付工程と、前記Ｃ型鋼の上に屋上床材を敷設する屋上床材敷設工程とを包含する屋上付き家屋に改築する工事の方法であって、
前記Ｃ型鋼取付工程は、中央部に対して両端部が同方向に略９０度屈曲した断面コ字形の取付金具を両端部が上を向き、かつ両端部の間に形成されるＣ型鋼保持溝の方向が前記折板の溝方向と交差するように該折板の上面に固定し、その取付金具のＣ型鋼保持溝でＣ型鋼を保持して、取付金具の屈曲端部とＣ型鋼の側壁部とをビスで螺着することを特徴とする屋上付き家屋に改築する工事の方法。
【発明の詳細な説明】
【技術分野】
【０００１】
この発明は、既存家屋を屋上付き家屋に改築する工事の方法に関する。
【背景技術】
【０００２】
本件出願人は、以前に、既存家屋を屋上付き家屋に改築する工事の方法に関する特許出願をしている。
【特許文献１】特開２００２−２０１８００号公報
【発明の開示】
【発明が解決しようとする課題】
【０００３】
特許文献１に記載の方法は、屋根から天井を完全に撤去したのち新規建築の場合と同じ方法で屋上を構築する従来の方法に比べ、既存家屋を短期間で屋上付き家屋に改築することができるという利点を有している。ただし、実際にこの方法で改築工事を行う場合、屋上床材の形状や敷設の仕方によっては、次のような施工上の問題点があることが判明してきた。
【０００４】
図１４は特許文献１に記載の方法で工事を行う場合における屋上床材敷設工程を表わしている。図中の１０は折板、１４はＣ型鋼、１５はボルト、１６は屋上床材で、これらは特許文献１で記入されている符合に合わせてある。図示されているように、Ｃ型鋼１４の上面に折板にＣ型鋼を取り付けるためのボルト１５の頭部が突出しているため、該ボルトの頭部と屋上床材１６の第一、第二垂下部１６ａ，１６ｂとが干渉して、屋上床材１６を適正に敷設できない場合があった。また、ボルト１５の頭部に屋上床材１６の第一、第二垂下部１６ａ，１６ｂが干渉することがないにしても、Ｃ型鋼１４上で屋上床材１６を移動させる際にボルト１５の頭部に当らないように屋上床材１６を持ち上げなければならず、一人での屋上床材敷設作業が困難であるので、最低でも二人を作業を行わねばならないという効率の悪さがあった。
【０００５】
本発明は、上記事情に鑑みなされたもので、従来の既存家屋を屋上付き家屋に改築する工事の方法を改良して、屋上床材を適正かつ効率的に敷設することができるようにすることを課題としている。
【課題を解決するための手段】
【０００６】
上記課題に対して次のような方策を講じた。すなわち、本発明にかかる既存家屋を屋上付き家屋に改築する工事の方法は、  既存家屋の屋根を撤去して梁を露出させる屋根撤去工程と、前記梁の上に角材で枠組を組む枠組工程と、前記枠組の上に断面波形の折板を隙間なく並べて取り付ける折板取付工程と、前記折板の上に該折板の溝方向と交差させてＣ型鋼をその開口部を下側にして取り付けるＣ型鋼取付工程と、前記Ｃ型鋼の上に屋上床材を敷設する屋上床材敷設工程とを包含する屋上付き家屋に改築する工事の方法であって、前記Ｃ型鋼取付工程は、中央部に対して両端部が同方向に略９０度屈曲した断面コ字形の取付金具を両端部が上を向き、かつ両端部の間に形成されるＣ型鋼保持溝の方向が前記折板の溝方向と交差するように該折板の上面に固定し、その取付金具のＣ型鋼保持溝でＣ型鋼を保持して、取付金具の屈曲端部とＣ型鋼の側壁部とをビスで螺着することを特徴としている。
【発明の効果】
【０００７】
本発明によれば、Ｃ型鋼取付工程が終了した時点でＣ型鋼の上面にボルト、ナット等の突起物がないので、その上に屋上床材を適正に敷設することができるとともに、その敷設作業を効率的に行うことができる。
【発明を実施するための最良の形態】
【０００８】
以下、図１に示す既存家屋Ａを図２に示す屋上付き家屋Ｂに改築する工事を例にとって、本発明を具体的に説明する。
【実施例】
【０００９】
改築工事に際しては、まず既存家屋Ａの屋根１を撤去して梁を露出させる（屋根撤去工程）。図３は屋根撤去工程を終了した状態を示す工事箇所の斜視図であり、縦横に組まれた梁２が露出している。梁２の下側には天井材３がそのまま残されている。
【００１０】
次に、図４に示すように、梁２の上に角材４で枠組を組む（枠組工程）。実施例では、角材として鋼管４を使用し、これを格子状に組んでいる。鋼管同士の連結方法としては、例えば図５に示すように、縦向きの鋼管４（１）にＬ型の連結片５を溶接で取り付け、この連結片５と横向きの鋼管４（２）とをボルト６及びナット７で固定するとよい。
【００１１】
また、次の折板取付工程の前工程として、図６に示すように、鋼管４の上面に折板支持体８を取り付ける。この折板支持体８の頂部には、固定ボルト９がねじ部を上向きにして固定されている。
【００１２】
そして、図７に示すように、鋼管４の枠組の上に断面波形の折板１０を隙間なく並べて取り付ける（折板取付工程）。その取付方法は、折板１０をその通孔１０ａに固定ボルト９が挿通されるように折板支持体８の上に重ね合わせ、さらに後述する取付金具１１をそのボルト孔１１ｄに固定ボルト９が挿通されるように折板１０の上に載置し、折板支持体８及び取付金具１１よりも上に突出する固定ボルト９の端部に座金１２を嵌合させてからナット１３を螺着させることにより、折板１０及び取付金具１１を共に折板支持体８に固定する。複数枚の折板１０を並べる場合、熱伸縮で折板１０が変形するのを防止するために、隣接する折板１０同士は固定しない。折板１０の溝方向に勾配をつけて並べると、排水が良好である。
【００１３】
前記取付金具１１は、細長い長方形の金属板をプレス加工により成形したもので、図８に示すように、中央部１１ａに対して両端部１１ｂ，１１ｂが同方向に略９０度屈曲した断面コ字形をし、一対の屈曲端部１１ｂ，１１ｂの間にＣ型鋼保持溝１１ｃが形成されている。このＣ型鋼保持溝１１ｃの幅は、後述するＣ型鋼１４の幅よりも若干広く設定してある。そして、中央部１１ａには、Ｃ型鋼保持溝１１ｃの幅方向に長いボルト孔１１ｄが穿設されている。また、両屈曲端部１１ｂ，１１ｂには、ビス孔１１ｅ，１１ｅがそれぞれ穿設されている。これら一対のビス孔１１ｅ，１１ｅの位置は、Ｃ型鋼保持溝１１ｃの長さ方向に関してボルト孔１１ｄの位置を基準にして互いに逆方向にずらしてある。
【００１４】
次いで、図９に示すように、折板１０の溝方向と交差させるとともに開口部を下側に向けたＣ型鋼１４を取付金具１１のＣ型鋼保持溝１１ｃに保持させて、前記ビス孔１１ｅ，１１ｅから挿入したビス１５，１５によって、取付金具１１の屈曲端部１１ｂ，１１ｂとＣ型鋼１４の側壁部１４ａ，１４ａとを螺着する（Ｃ型鋼取付工程）。
【００１５】
取付金具１１の一対の屈曲端部１１ｂ，１１ｂの間隔がＣ型鋼１４の幅よりも若干広く、ボルト孔１１ｄが長孔になっているので、複数の固定ボルト９の配列が真っ直ぐに揃っていなくても、取付金具１１のＣ型鋼保持部１１ｃ内にＣ型鋼１４を保持することができる。また、一対のビス孔１１ｅ，１１ｅの位置がずらしてあるため、取付金具１１の屈曲端部１１ｂ，１１ｂとＣ型鋼１４の側壁部１４ａ，１４ａとを螺着すると、図１０に示すように、Ｃ型鋼１４に対して取付金具１１が斜めになり、取付金具１１の屈曲端部１１ｂ，１１ｂの角がＣ型鋼１４の側壁面に係合し、取付金具１１とＣ型鋼１４とが緊密に一体化される。
【００１６】
最後に、図１１に示すように、Ｃ型鋼１４の上に該Ｃ型鋼に交差させて屋上床材１６を敷設する（屋上床材敷設工程）。屋上床材１６は、図１２に示すように、一方の端縁には平板状の第一垂下部１６ａが形成され、他方の端縁には底面レベルが前記第一垂下部１６ａの下端レベルとほぼ同じの溝を有する第二垂下部１６ｂが形成された形状をしている。第二垂下部１６ｂの溝に隣の屋上床材１６の第一垂下部１６ａが嵌合する状態で各屋上床材１６を敷設し、ねじ式固着具１７によってＣ型鋼１４に固着する。Ｃ型鋼１４の上面に突起物がないので、この屋上床材敷設作業を効率良く行うことができる。
【００１７】
このように構築された屋上付き家屋Ｂは、天井材３と屋上床材１６との間の空間が広く、しかもその空間が折板１０によって上下に仕切られて空気の対流が抑えられているので、断熱性が良好である。雨水は屋上床材１６，１６間を通って第二垂下部１６ｂの溝に受けられて排水される。
【産業上の利用可能性】
【００１８】
上記実施例では一般的な日本家屋を屋上付き家屋に改築する場合について説明したが、本発明は一般的な日本家屋以外にも適用可能である。例えば、図１３に示すプレハブ家屋Ｃのように屋根部分が断面波形の折板１０で形成されている場合は、既存の折板１０をそのまま利用し、屋根撤去工程、枠組工程及び折板取付工程を省くことができる。
【図面の簡単な説明】
【００１９】
【図１】既存家屋の斜視図である。
【図２】屋上付き家屋の斜視図である。
【図３】屋根撤去工程を終えた状態を示す工事箇所の斜視図である。
【図４】枠組工程を終えた状態を示す工事箇所の（ａ）正面断面図、及び（ｂ）側面断面図である。
【図５】鋼管の連結部の斜視図である。
【図６】鋼管への折板支持体の取付部の斜視図である。
【図７】折板取付工程を終えた状態を示す工事箇所の（ａ）正面断面図、及び（ｂ）側面断面図である。
【図８】取付金具の斜視図である。
【図９】Ｃ型鋼取付工程を終えた状態を示す工事箇所の（ａ）正面断面図、及び（ｂ）側面断面図である。
【図１０】取付金具及びＣ型鋼の平面図である。
【図１１】屋上床材敷設工程を終えた状態を示す工事箇所の（ａ）正面断面図、及び（ｂ）側面断面図である。
【図１２】屋上床材の斜視図である。
【図１３】プレハブ家屋の斜視図である。
【図１４】従来の屋上床材敷設工程を表わす斜視図である。
【符号の説明】
【００２０】
Ａ  改築前の家屋
Ｂ  改築後の家屋
１  屋根
２  梁
３  天井材
４  鋼管（角材）
８  折板支持体
９  固定ボルト
１０  折板
１１  取付金具
１１ａ  中央部
１１ｂ  屈曲端部
１１ｃ  Ｃ型鋼保持溝
１４  Ｃ型鋼
１５  ビス
１６  屋上床材
【図１】
2007100470.tif 000003
【図２】
2007100470.tif 000004
【図３】
2007100470.tif 000005
【図４】
2007100470.tif 000006
【図５】
2007100470.tif 000007
【図６】
2007100470.tif 000008
【図７】
2007100470.tif 000009
【図８】
2007100470.tif 000010
【図９】
2007100470.tif 000011
【図１０】
2007100470.tif 000012
【図１１】
2007100470.tif 000013
【図１２】
2007100470.tif 000014
【図１３】
2007100470.tif 000015
【図１４】
2007100470.tif 000016